(57)【要約】【課題】商品載置棚に載置した商品を所望の温度状態に良好に保持することができるショーケースおよび配送システムを提供すること。【解決手段】ケース本体１０と、ケース本体１０の内部において商品を載置する複数の商品載置棚２１〜２４と、商品収納域１０ａの前方域における上部に配設した吹出口２５から下方に向けて空気を吹き出し、下部に配設した吸込口２６を通じて吹出口２５から吹き出された空気を吸い込むことにより空気を循環させる空気循環ユニットと、空気循環ユニットにより循環させる空気を所定の温度に調整する温度調整ユニットとを備えたショーケースであって、最上段の商品載置棚２１の上方域に、前面３３ａが吹出口２５より吹き出される空気の通過域に近接した状態で該空気の吹き出し方向に沿って延在し、かつ下面３３ｂが商品載置棚２１の延在方向に沿って延在する態様で配設されたガイド部材３３を備えている。【選択図】        図２
2009085543.tif 000002
【特許請求の範囲】
【請求項１】
前面に開口が形成された断熱筐体であるケース本体と、
前記ケース本体の内部における収納域において上下方向に沿って複数段設けられ、収納対象となる商品を載置する複数の商品載置棚と、
前記収納域の前方域における前記開口近傍の上部に配設した吹出口から下方に向けて空気を吹き出し、該開口近傍の下部に配設した吸込口を通じて前記吹出口から吹き出された空気を吸い込み、かつ該吸込口から吸い込んだ空気を前記収納域の下方域、後方域及び上方域を順次通過させて前記吹出口に送出することによって空気を循環させる空気循環ユニットと、
前記空気循環ユニットにより循環させる空気を所定の温度に調整する温度調整ユニットと
を備え、前記商品載置棚に載置された商品を所望の温度状態に保持するようにしたショーケースであって、
最上段の商品載置棚の上方域に、前面が前記吹出口より吹き出される空気の通過域に近接した状態で該空気の吹き出し方向に沿って延在し、かつ下面が前記商品載置棚の延在方向に沿って延在する態様で配設されたガイド部材を備えたことを特徴とするショーケース。
【請求項２】
前記ガイド部材は、前面が上方から下方に向けて漸次前方に突出する態様で延在することを特徴とする請求項１に記載のショーケース。
【請求項３】
前記吹出口より吹き出された空気のうち前記吸込口に吸い込まれずに前記開口を通じて前方に放出された漏れ空気を、前記ケース本体の底部および背部に配設されたダクトを通じて回収する漏れ空気回収手段を備えたことを特徴とする請求項１または請求項２に記載のショーケース。
【請求項４】
各商品載置棚の後方側には、シート体が揺動可能に配設してあり、該シート体は、常態においては前記収納域の後方域と各商品載置棚の上面域とを区画する一方、後方より商品載置棚の上面域に商品を投入する場合には該商品の投入を許容することを特徴とする請求項１〜３のいずれか一つに記載のショーケース。
【請求項５】
必要に応じて前記開口を閉成するカバー部材を設けたことを特徴とする請求項１〜４のいずれか一つに記載のショーケース。
【請求項６】
供給された商品を一時的に収納し、搬送指令が与えられることにより一時的に収納した商品を取り出して、コンベア装置にて所定位置まで搬送して配送するような配送システムにおいて、
請求項１〜５のいずれか一つに記載のショーケースに供給された商品を一時的に収納するようにしたことを特徴とする配送システム。
【請求項７】
前記コンベア装置は、搬送する商品を所望の温度に調整する温度調整機構を備えたことを特徴とする請求項６に記載の配送システム。
【発明の詳細な説明】
【技術分野】
【０００１】
本発明は、ショーケースおよび配送システムに関し、より詳細には、収納対象となる商品を所望の温度状態に保持するようにしたショーケースおよびこれを備えてなる配送システムの改良に関する。
【背景技術】
【０００２】
従来、前面に開口が形成された断熱筐体であるケース本体の内部に商品載置棚が複数段設けられ、各商品載置棚に商品が載置されたショーケースが知られている。
【０００３】
図８は、従来のショーケースを概略的に示した概略側断面図である。この図８において、ショーケースは、本体キャビネット１００を備えている。本体キャビネット１００は、前面が開口した略直方状の断熱筐体として形成されたケース本体である。また、ショーケースは、商品収納室２００と、空気循環ユニット３００とを備えている。
【０００４】
商品収納室２００は、本体キャビネット１００の内部の前方側に画成されており、前面が開口している。この商品収納室２００には、商品載置棚２１０〜２４０が上下方向に沿って複数段に並べて配設されている。商品載置棚２１０〜２４０は、それぞれ商品を載置するためのものであり、矩形状の板状体である。
【０００５】
また、商品収納室２００には、吸込口２５０と、吹出口２６０とが設けられている。吸込口２５０は、商品収納室２００の内部の空気を吸い込むための開口であり、商品収納室２００の左右方向に沿って延設されている。この吸込口２５０は、商品収納室２００の下側前方縁部に配設されている。吹出口２６０は、商品収納室２００の内部に空気を吹き出すための開口であり、吸込口２５０と同様に、商品収納室２００の左右方向に沿って延設されている。この吹出口２６０は、商品収納室２００の上側前方縁部に配設されている。
【０００６】
空気循環ユニット３００は、空気流路３１０と、送風ファン３２０とを備えて構成されている。空気流路３１０は、吸込口２５０から吹出口２６０に至る空気の流路である。このような空気流路３１０は、商品収納室２００の下方にある下方ダクト３３０と、商品収納室２００の背面側にある背面ダクト３４０と、商品収納室２００の上方にある上方ダクト３５０とから構成されている。これら下方ダクト３３０、背面ダクト３４０および上方ダクト３５０は、互いに連通した態様で形成されている。送風ファン３２０は、空気を送出するためのものであり、下方ダクト３３０に配設されている。
【０００７】
このような空気循環ユニット３００は、送風ファン３２０の作用により、商品収納室２００の内部にある空気を吸込口２５０を通じて吸い込み、吸い込んだ空気を下方ダクト３３０、背面ダクト３４０および上方ダクト３５０を通じて吹出口２６０まで送出し、吹出口２６０を通じて送出した空気を商品収納室２００の内部に吹き出すことを繰り返す。つまり、空気循環ユニット３００は、送風ファン３２０の作用により、吸込口２５０および吹出口２６０を通じて、商品収納室２００の内部と外部との間で空気を循環させる。
【０００８】
空気循環ユニット３００を構成する背面ダクト３４０には、エバポレータ４００が配設されている。エバポレータ４００は、空気流路３１０を流れる空気を冷却するものである。これにより、空気循環ユニット３００により循環される空気、すなわち吹出口２６０から吹き出される空気は冷却されている。従って、商品収納室２００の上側前方縁部の吹出口２６０から吹き出された空気は、エアカーテン（吹出噴流）として、商品載置棚２１０〜２４０に載置された商品と熱交換を行いながら商品収納室２００の下部に向けて流れ、該商品を冷却していた（例えば、特許文献１参照）。
【０００９】
【特許文献１】特開平８−１４５５３４号公報
【発明の開示】
【発明が解決しようとする課題】
【００１０】
ところが、特許文献１に提案されているショーケースでは、最上段の商品載置棚２１０の上方域に比較的大きなスペースが構造上生じてしまうために、該商品載置棚２１０の上方域に吹出口２６０から吹き出された空気が必要以上に流れてしまい、その結果、該空気が拡散してエアカーテンが良好に形成されない虞れがあった。このようにエアカーテンが良好に形成されないと、商品収納室２００の下部領域は、結果的に前面開口を通じて外気の侵入を許容することになり、いわゆるデッドスペースと称される比較的高温な領域になってしまい、商品収納室２００の温度分布の増大化を招来していた。このように商品収納室２００の温度分布の増大化を招来すると、商品の鮮度保持困難、商品の結露等々の不具合が発生することになる。
【００１１】
本発明は、上記実情に鑑みて、商品載置棚に載置した商品を所望の温度状態に良好に保持することができるショーケースおよび配送システムを提供することを目的とする。
【課題を解決するための手段】
【００１２】
上記目的を達成するために、本発明の請求項１に係るショーケースは、前面に開口が形成された断熱筐体であるケース本体と、前記ケース本体の内部における収納域において上下方向に沿って複数段設けられ、収納対象となる商品を載置する複数の商品載置棚と、前記収納域の前方域における前記開口近傍の上部に配設した吹出口から下方に向けて空気を吹き出し、該開口近傍の下部に配設した吸込口を通じて前記吹出口から吹き出された空気を吸い込み、かつ該吸込口から吸い込んだ空気を前記収納域の下方域、後方域および上方域を順次通過させて前記吹出口に送出することによって空気を循環させる空気循環ユニットと、前記空気循環ユニットにより循環させる空気を所定の温度に調整する温度調整ユニットとを備え、前記商品載置棚に載置された商品を所望の温度状態に保持するようにしたショーケースであって、最上段の商品載置棚の上方域に、前面が前記吹出口より吹き出される空気の通過域に近接した状態で該空気の吹き出し方向に沿って延在し、かつ下面が前記商品載置棚の延在方向に沿って延在する態様で配設されたガイド部材を備えたことを特徴とする。
【００１３】
また、本発明の請求項２に係るショーケースは、上述した請求項１において、前記ガイド部材は、前面が上方から下方に向けて漸次前方に突出する態様で延在することを特徴とする。
【００１４】
また、本発明の請求項３に係るショーケースは、上述した請求項１または請求項２において、前記吹出口より吹き出された空気のうち前記吸込口に吸い込まれずに前記開口を通じて前方に放出された漏れ空気を、前記ケース本体の底部および背部に配設されたダクトを通じて回収する漏れ空気回収手段を備えたことを特徴とする。
【００１５】
また、本発明の請求項４に係るショーケースは、上述した請求項１〜３のいずれか一つにおいて、各商品載置棚の後方側には、シート体が揺動可能に配設してあり、該シート体は、常態においては前記収納域の後方域と各商品載置棚の上面域とを区画する一方、後方より商品載置棚の上面域に商品を投入する場合には該商品の投入を許容することを特徴とする。
【００１６】
また、本発明の請求項５に係るショーケースは、上述した請求項１〜４のいずれか一つにおいて、必要に応じて前記開口を閉成するカバー部材を設けたことを特徴とする。
【００１７】
また、本発明の請求項６に係る配送システムは、供給された商品を一時的に収納し、搬送指令が与えられることにより一時的に収納した商品を取り出して、コンベア装置にて所定位置まで搬送して配送するような配送システムにおいて、請求項１〜５のいずれか一つに記載のショーケースに供給された商品を一時的に収納するようにしたことを特徴とする。
【００１８】
また、本発明の請求項７に係る配送システムは、上述した請求項６において、前記コンベア装置は、搬送する商品を所望の温度に調整する温度調整機構を備えたことを特徴とする。
【発明の効果】
【００１９】
本発明によれば、ガイド部材が、最上段の商品載置棚の上方域に前面が吹出口より吹き出される空気の通過域に近接した状態で該空気の吹き出し方向に沿って延在し、かつ下面が商品載置棚の延在方向に沿って延在する態様で配設したので、最上段の商品載置棚の上方域に必要以上に大きなスペースを生じさせることがなく、これにより商品載置棚の上方域に吹出口から吹き出された空気が必要以上に流れてしまうことがなく、良好なエアカーテンを形成することができ、商品収納域における温度のバラツキを抑えることができる。従って、商品載置棚に載置した商品を所望の温度状態に良好に保持することができるという効果を奏する。
【発明を実施するための最良の形態】
【００２０】
以下に添付図面を参照して、本発明の実施の形態について詳細に説明する。
【００２１】
図１は、本発明の実施の形態である配送システムを模式的に示したものである。ここに例示する配送システム１は、所定の倉庫１ａ内において、ショーケース２とコンベア装置３とを備えて構成してある。ショーケース２は、詳細は後述するが、供給機構（図示せず）により供給された商品を一時的に収納するためのものである。このショーケース２に一時的に収納された商品は、搬送指令が与えられることにより、取出機構（図示せず）により取り出され、例えばシュータ等によりコンベア装置３に送出される。コンベア装置３は、詳細は後述するが、送出された商品を所定位置まで搬送するものである。このコンベア装置３により所定位置まで搬送された商品は、その後に箱体内部に詰められて配送される。
【００２２】
図２は、図１に示したショーケース２の内部構造を簡略的に示す断面側面図である。ここに例示するショーケース２は、ケース本体１０を備えている。ケース本体１０は、前面に開口１１が形成された直方状の断熱筐体である。このケース本体１０の内部では、前方側が商品収納域（収納域）１０ａとなり、後方側が商品保管域１０ｂとなっている。
【００２３】
商品収納域１０ａには、商品載置棚２１〜２４、吹出口２５および吸込口２６が設けてある。商品載置棚２１〜２４は、商品を載置するためのものであり、ケース本体１０の一対の側板１２間に上下方向に沿って複数段に並べて架設してある。それぞれの商品載置棚２１〜２４は、後方から前方に向けて漸次下方に傾斜する態様で設けてある。これら商品載置棚２１〜２４は、図３に示すように、ローラ部材２７が枠部材２８に回転可能に設けられ、全体として矩形状を成している。また、各商品載置棚２１〜２４の後方側には、シート体２９が揺動可能にケース本体１０の一対の側板１２間に架設してある。シート体２９は、図４に示すように、左右に突出する軸部２９ａが上記側板１２の係合孔（図示せず）に挿通することにより、該軸部２９ａの軸心回りに揺動可能となるものである。このようなシート体２９は、図示しないバネ等の付勢手段により付勢されて、図２に示すように商品収納域１０ａの後方域１３と各商品載置棚２１〜２４の上面域１４とを区画している。また、シート体２９は、後方から商品載置棚２１〜２４の上面域１４に商品を投入する際には、前方側に揺動して該商品の投入を許容するものである。
【００２４】
吹出口２５は、商品収納域１０ａに空気を吹き出すための開口であり、商品収納域１０ａの左右方向に沿って延設された長尺状のものである。吹出口２５は、２つ設けてあり、商品収納域１０ａの上側前方縁部、すなわちケース本体１０の開口１１近傍の上部に前後方向に沿って並設してある。これら吹出口２５は、それぞれを通じて吹き出された空気が互いに干渉しないよう、それぞれ吹出角度が予め設定してある。また、吹出口２５としては、吹出角度を自由に調整することができる可動式のものを用いても良く、この場合にも、それぞれを通じて吹き出された空気が互いに干渉しないよう吹出角度が調整されることになる。
【００２５】
このような吹出口２５は、共通の上側ダクト３１に連通してある。上側ダクト３１は、商品収納域１０ａの上方域に前後方向に沿って延在する態様で設けてあり、後方側は開口している。この上側ダクト３１の内部には上側冷却器３１ａと上側送風ファン３１ｂとが設けてある。上側冷却器３１ａは、上側ダクト３１を通過する空気を冷却するためのものであり、上側送風ファン３１ｂは、詳細は後述するが、ケース本体１０の内部の空気を上側ダクト３１に取り込み、吹出口２５を通じて吹き出すためのものである。
【００２６】
吸込口２６は、商品収納域１０ａの空気を吸い込むための開口であり、商品収納域１０ａの左右方向に沿って延設された長尺状のものである。吸込口２６は、商品収納域１０ａの下側前方縁部、すなわちケース本体１０の開口１１近傍の下部に設けてある。
【００２７】
このような吸込口２６は、下側ダクト３２に連通してある。下側ダクト３２は、商品収納域１０ａの下方域に前後方向に沿って延在する態様で設けてあり、後方側は開口している。この下側ダクト３２の内部には下側冷却器３２ａと下側送風ファン３２ｂとが設けてある。下側冷却器３２ａは、下側ダクト３２を通過する空気を冷却するためのものであり、下側送風ファン３２ｂは、吸込口２６を通じて空気を吸い込むためのものである。
【００２８】
このような商品収納域１０ａにおいては、上記構成の他に、ガイド部材３３が配設してある。ガイド部材３３は、板状体を加工して形成したもので、最上段の商品載置棚２１の上方域においてケース本体１０の一対の側板１２間に架設してある。このガイド部材３３は、前面３３ａが吹出口２５より吹き出される空気の通過域に近接した状態で該空気の吹き出し方向に沿って延在し、かつ下面３３ｂが商品載置棚２１の延在方向に沿って延在する態様で設けてある。ここで、ガイド部材３３の下面３３ｂと、最上段の商品載置棚２１との距離は、該商品載置棚２１に商品が載置するのに必要十分な大きさに調整してある。
【００２９】
一方、商品保管域１０ｂには、商品保管棚３４、後方冷却器３５および後方送風ファン３６が設けてある。商品保管棚３４は、商品を保管するためのものであり、ケース本体１０の一対の側板１２間に上下方向に沿って複数段に並べて架設してある。尚、この商品保管棚３４の最下段には、空気の流路が形成してある。
【００３０】
後方冷却器３５は、商品保管域１０ｂの上方域、すなわち商品保管棚３４の上方域に配設してある。この後方冷却器３５は、その周囲を通過する空気を冷却するためのものである。後方送風ファン３６は、駆動することにより、後方冷却器３５の周囲に空気を送出するためのものである。
【００３１】
ケース本体１０の底部および背部には、それぞれ底部ダクト３７および背部ダクト３８が設けてある。底部ダクト３７は、前後方向に沿って延在してあり、前方の開口は回収口３７ａとなっている。背部ダクト３８は、上下方向に沿って延在してあり、底部ダクト３７に連通している。背部ダクト３８の上端域には、回収ファン３９が設けてある。回収ファン３９は、駆動することにより、回収口３７ａより空気を回収し、底部ダクト３７および背部ダクト３８を通過させて、通過させた空気を上方開口３８ａより放出するためのものである。
【００３２】
ここで、図２中の符号４１および４２は、前方カバー部材および後方カバー部材である。前方カバー部材４１は、ケース本体１０の開口１１の上縁部付近に設けてあり、通常はロール状に巻回されており、必要に応じて繰り出されて、図２中の二点鎖線のように該開口１１を閉成するものである。後方カバー部材４２は、商品保管域１０ｂの前方域、すなわち商品収納域１０ａと商品保管域１０ｂとの間の領域の上部に設けてあり、通常はロール状に巻回されていて、必要に応じて繰り出されて、図２中の二点鎖線のように商品収納域１０ａと商品保管域１０ｂとを区画するものである。
【００３３】
図５〜図７は、それぞれ図１に示したコンベア装置３を示すものであり、図５は、図１のＡ−Ａ線断面図、図６は、断面側面図、図７は、断面構造を上方から見た場合を示す断面平面図である。ここに例示するコンベア装置３は、装置本体５０を備えている。
【００３４】
装置本体５０は、長尺直方状の断熱筐体であり、その上面に長手方向に沿って長尺矩形状の開口５０ａが形成されている。この装置本体５０の一端部（例えば先端部）には、冷却室５１が画成してある。冷却室５１は、図６に示すように、上室５２と下室５３との上下２段に分かれており、それぞれは、連絡口５４を通じて連通してある。上室５２には、先端冷却器５５および送出ファン５６が設けてある。先端冷却器５５は、周囲を通過する空気を冷却するためのものである。送出ファン５６は、詳細は後述するが、駆動することにより上室５２の空気を先端冷却器５５の周囲を通過させて、後述する通風路６２に送出するためのものである。一方、下室５３には、戻りファン５７が設けてある。戻りファン５７は、詳細は後述するが、駆動することにより後述する導風路６３を通過する空気を下室５３に送出するためのものである。
【００３５】
また、装置本体５０の内部には、ベルトコンベア６１、通風路６２および導風路６３が設けてある。ベルトコンベア６１は、一対のプーリ部材６４に張設された無端状のものであり、装置本体５０の長手方向が搬送方向となる態様で設けてある。より詳細には、ベルトコンベア６１の上面が装置本体５０の開口５０ａを臨む位置に設けてある。このようなベルトコンベア６１は、一対のプーリ部材６４が回転することにより、上面が長手方向に沿って基端から先端に向けて直線的に変位するものである。尚、本実施の形態におけるコンベア装置３としては、２つのベルトコンベア６１を左右に並んで設けたものを例示している。
【００３６】
通風路６２は、図５〜図７に示すように、装置本体５０の内部におけるベルトコンベア６１の両側域に互いに対向する一対のパネル材６５を配設することにより画成してある。より詳細に説明すると、通風路６２は、ベルトコンベア６１の両側域において、該ベルトコンベア６１の搬送方向、すなわち装置本体５０の長手方向に沿って延在している。それぞれの通風路６２は、図６に示すように、送出口６６を通じて上室５２に連通してある。また、一対のパネル材６５には、装置本体５０の長手方向に沿って吹出孔６５ａが所定の間隔で形成してある。この吹出孔６５ａは、通風路６２を通過する空気をベルトコンベア６１の上面に吹き出すための開口となるものである。
【００３７】
導風路６３は、図５および図６に示すように、ベルトコンベア６１の下方域に画成してある。より詳細に説明すると、導風路６３は、ベルトコンベア６１の下方域において、該ベルトコンベア６１の搬送方向、すなわち装置本体５０の長手方向に沿って延在している。この導風路６３は、先端が戻り口６７を通じて下室５３に連通してある一方、基端が通風路６２に連通してある。
【００３８】
以上説明したような本実施の形態における配送システム１を構成するショーケース２においては、上側送風ファン３１ｂ、下側送風ファン３２ｂ、後方送風ファン３６および回収ファン３９を駆動させて次のようになる。
【００３９】
上側送風ファン３１ｂおよび下側送風ファン３２ｂが駆動することにより、ケース本体１０の内部の空気が上側ダクト３１に後方側から進入し、上側冷却器３１ａの周囲を通過することにより冷却され、その後吹出口２５から所定の吹出角度で吹き出される。吹出口２５から吹き出された空気は、エアカーテン（吹出噴流）として、商品載置棚２１〜２４に載置された商品と熱交換を行いながら商品収納域１０ａの下部に向けて流れ、その後に吸込口２６を通じて下側ダクト３２に吸い込まれる。下側ダクト３２に吸い込まれた空気は、下側冷却器３２ａの周囲を通過することにより冷却され、その後、下側ダクト３２から商品収納域１０ａの後方域１３を通過して再び上側ダクト３１に進入し、これを繰り返す（図２中の実線矢印参照）。
【００４０】
このように上側送風ファン３１ｂ、下側送風ファン３２ｂ、上側ダクト３１および下側ダクト３２は、吹出口２５から下方に向けて空気を吹き出し、吸込口２６を通じて吹出口２５から吹き出された空気を吸い込み、かつ該吸込口２６から吸い込んだ空気を商品収納域１０ａの下方域、後方域および上方域を順次通過させて吹出口２５に送出することによって空気を循環させる空気循環ユニットを構成し、上側冷却器３１ａおよび下側冷却器３２ａは、空気循環ユニットにより循環させる空気を所定の温度に調整する温度調整ユニットを構成している。
【００４１】
また、下側冷却器３２ａは、上側冷却器３１ａで冷却されて吹出口２５を吹き出した空気がエアカーテンとして商品載置棚２１〜２４に載置された商品と熱交換を行う結果、吸込口２６を通じて下側ダクト３２に進入する空気は吹出口２５を通過したときよりも温度が高くなっていることから、該空気を補助的に冷却する補助冷却器としての役割を有するとともに、ケース本体１０の内部に高温となる空気が進入することを抑制する役割を有している。
【００４２】
後方送風ファン３６の駆動することにより、下側ダクト３２を通過した空気の一部が商品保管棚３４の最下段を通過し、該商品保管棚３４の後方域を更に通過することにより、商品保管棚３４に保管してある商品を冷却することが可能になる。かかる商品保管棚３４の後方域を通過した空気は、その後に後方冷却器３５の周囲を通過することにより冷却され、そして上側送風ファン３１ｂの作用により、上側ダクト３１に進入することになる（図２中の鎖線矢印参照）。
【００４３】
回収ファン３９の駆動により、エアカーテンを形成した空気のうち、開口１１を通じて前方側に放出された空気、すなわち漏れ空気は、回収口３７ａを通じて底部ダクト３７に進入し、その後に背部ダクト３８に進入して通過し、上方開口３８ａよりショーケース２の外部に放出されることになる（図２中の二点鎖線矢印参照）。
【００４４】
このように回収ファン３９、底部ダクト３７および背部ダクト３８は、吹出口２５より吹き出された空気のうち吸込口２６に吸い込まれずに開口１１を通じて前方に放出された漏れ空気を、ケース本体１０の底部および背部に配設されたダクトを通じて回収する漏れ空気回収手段を構成している。
【００４５】
そして、ショーケース２では、ガイド部材３３が最上段の商品載置棚２１の上方域に、前面３３ａが吹出口２５より吹き出される空気の通過域に近接した状態で該空気の吹き出し方向に沿って延在し、かつ下面３３ｂが商品載置棚２１の延在方向に沿って延在する態様で配設してあるので、最上段の商品載置棚２１の上方域に必要以上に大きなスペースを生じさせることがない。また、ガイド部材３３の前面３３ａが吹出口２５より吹き出される空気の吹き出し方向に沿って延在していることから、該空気の通過を阻害する虞れがない。
【００４６】
このように本発明の実施の形態におけるショーケース２によれば、ガイド部材３３が最上段の商品載置棚２１の上方域に、前面３３ａが吹出口２５より吹き出される空気の通過域に近接した状態で該空気の吹き出し方向に沿って延在し、かつ下面３３ｂが商品載置棚２１の延在方向に沿って延在する態様で配設してあるので、最上段の商品載置棚２１の上方域に必要以上に大きなスペースを生じさせることがなく、これにより商品載置棚２１〜２４の上方域に吹出口２５から吹き出された空気が必要以上に流れてしまうことがなく、良好なエアカーテンを形成することができ、商品収納域１０ａにおける温度のバラツキを抑えることができる。従って、商品載置棚２１〜２４に載置した商品を所望の温度状態に良好に保持することができる。
【００４７】
上記ショーケース２によれば、シート体２９が常態においては商品収納域１０ａの後方域１３と各商品載置棚２１〜２４の上面域１４とを区画するので、上側送風ファン３１ｂおよび下側送風ファン３２ｂの駆動により商品収納域１０ａの後方域１３を通過する空気が商品載置棚２１〜２４の上面域１４に流れてしまうことを抑制し、これにより空気の流れが乱雑になる虞れがなく、空気を良好に循環させることができる。
【００４８】
また、ショーケース２によれば、回収ファン３９の駆動により漏れ空気を底部ダクト３７および背部ダクト３８を通じて回収することができるので、ショーケース２の前方下部に漏れ空気が滞留する虞れがない。
【００４９】
更に、ショーケース２によれば、必要に応じて前方カバー部材４１で開口１１を閉成し、しかも後方カバー部材４２により商品収納域１０ａと商品保管域１０ｂとを区画するので、例えば夜間等に商品収納域１０ａの周囲を循環する空気の熱量が外部に漏れることを低減させることができ、これにより省エネルギー化を図ることができる。
【００５０】
一方、本実施の形態における配送システム１を構成するコンベア装置３においては、送出ファン５６および戻りファン５７を駆動させて次のようになる。すなわち、冷却室５１の上室５２の内部空気は、先端冷却器５５の周囲を通過して冷却され、冷却された空気は、送出口６６を通じて通風路６２に進入する。通風路６２に進入した空気は、該通風路６２を通過し、一部は、吹出孔６５ａを通じてベルトコンベア６１の上面域に吹き出される。このようにベルトコンベア６１の上面域に吹き出された空気は、該ベルトコンベア６１の上面に載置されて搬送される商品を両側から冷却することになる。
【００５１】
通風路６２を通過した空気は、コンベア装置３の基端に至り、導風路６３に進入することになる。導風路６３に進入した空気は、そのまま導風路６３を通過し、戻り口６７を通じて下室５３に進入する。下室５３に進入した空気は、連絡口５４を通じて上室５２に進入し、これを繰り返すことになる。このように先端冷却器５５は、温度調整ユニットを構成し、戻りファン５７および導風路６３は、空気回収ユニットを構成している。
【００５２】
本発明の実施の形態におけるコンベア装置３によれば、ベルトコンベア６１の上面に載置されて搬送される商品を両側から冷却するので、いわゆる冷えムラのようなものが発生する虞れがなく、商品を良好に冷却することができる。従って、ベルトコンベア６１の上面に載置された商品を所望の温度状態に良好に保持することができる。
【００５３】
以上説明したように、本発明の実施の形態における配送システム１によれば、上記ショーケース２を備えているので、商品を所望の温度状態に良好に保持することができる。
【００５４】
また、上記コンベア装置３を備えているので、ベルトコンベア６１の上面に載置された商品を所望の温度状態に良好に保持することができる。
【図面の簡単な説明】
【００５５】
【図１】本発明の実施の形態である配送システムを模式的に示す模式図である。
【図２】図１に示したショーケース２の内部構造を簡略的に示す断面側面図である。
【図３】図２に示した商品載置棚の構成を示す斜視図である。
【図４】図２に示したシート体の構成を示す斜視図である。
【図５】図１に示したコンベア装置を示したＡ−Ａ線断面図である。
【図６】図１に示したコンベア装置を示した断面側面図である。
【図７】図１に示したコンベア装置の断面構造を上方から見た場合を示す断面平面図である。
【図８】従来のショーケースを概略的に示した概略側断面図である。
【符号の説明】
【００５６】
１          配送システム
２          ショーケース
３          コンベア装置
１０        ケース本体
１０ａ      商品収納域
１０ｂ      商品保管域
１１        開口
２１〜２４  商品載置棚
３１ａ      上側冷却器
３１ｂ      上側送風ファン
３２ａ      下側冷却器
３２ｂ      下側送風ファン
３３        ガイド部材
３３ａ      前面
３３ｂ      下面
５０      装置本体
５０ａ    開口
６１      ベルトコンベア
６２      通風路
６３      導風路
６５      パネル材
６５ａ    吹出孔
【図１】
2009085543.tif 000003
【図２】
2009085543.tif 000004
【図３】
2009085543.tif 000005
【図４】
2009085543.tif 000006
【図５】
2009085543.tif 000007
【図６】
2009085543.tif 000008
【図７】
2009085543.tif 000009
【図８】
2009085543.tif 000010